(57)【要約】      （修正有）【課題】移動時の振動でゴルフバッグ内のアイアンゴルフクラブ同士の干渉による傷を防ぎ、出し入れを簡単かつアイアンクラブを保持させるゴルフバッグ用アイアンクラブ収納用具を提供する。【解決手段】ゴルフバッグ用アイアンクラブ収納用具１の上部にアイアンゴルフクラブヘッド部のトップラインを受けるために最大ロフトより大きな角度で一辺が垂直のＶ形状を持ちアイアンクラブホーゼル部よりやや大きな穴でシャフト小径部を通過する切欠き溝を有するヘッド及びホーゼルガイド受け２と、それに接続された高さ調整板４、さらに高さを調整ネジ８により連結された本体フレーム５と、その下部に固定されたシャフト受け７及び底部にゴルフバッグの上両縁部に乗せるためのゴルフバッグの内寸に合わせて調整できる幅調整脚６より構成される。【選択図】図１
0003190763.tif 000002
【実用新案登録請求の範囲】
【請求項１】
ゴルフバッグ用アイアンクラブ収納用具１の高さ調整板４上部に板ナット３で固定されたアイアンゴルフクラブの最大ロフトより大きな角度で一辺が垂直のＶ形溝及びアイアンクラブホーゼル部１０よりやや大きな穴でシャフト小径部を通過できる切り欠き溝を有し柔軟性材料でできているヘッド及びホーゼルガイド受け２そして高さ調整板４に固定された本体フレーム５の下部に取付けられたシャフト受け７さらにゴルフバッグへ差込む時に横方向の上部両縁に乗せゴルフバッグ内幅に合わせて本体フレーム５の底部に固定された幅調整脚６よりなるアイアンクラブの収納整列を特徴とするゴルフバッグ用アイアンクラブ収納用具。
【考案の詳細な説明】
【技術分野】
【０００１】  本考案は複数のアイアンクラブを位置決め保持し、収納及び取り出しを容易にすると共にアイアンクラブ同士の干渉による損傷を防止するためのゴルフバッグ用アイアンクラブ収納用具に関する。
【背景技術】
【０００２】  ゴルフバッグ内に収納されたアイアンクラブは自動車等による運搬及びプレー時のゴルフカート移動によりクラブが重なりヘッド同士がぶつかり傷付き、傷の範囲も徐々に拡大する。解決方法としてアイアンのヘッドカバー等を使用する場合もあるが着脱が面倒等の理由により、使用されることは少ない。
【考案の概要】
【考案が解決しようとする課題】
【０００３】  ゴルフバッグには仕切りがあり手前より１、２段目に多くのアイアンクラブを並べる場合が多い。またウッドクラブは形状の差が大きく番手を容易に確認し易いのに対しアイアンクラブは形状の差が小さく数量も多いので取り出し時、確認に注意する必要があった。【０００４】  以上により本考案はゴルフバッグにゴルフバッグ用アイアンクラブ収納用具を差込み上部Ｖ形状の溝にアイアンクラブのヘッド部トップラインを並べておきホーゼル部を保持させるためにホーゼル部より少し大きめな穴でシャフト小径部を通過できる切り欠き形状を持つヘッド及びホーゼルガイド受けに差し込むことでアイアンクラブを保持し、移動中に傷がつき難く取り出し、収納をし易くした。
【課題を解決するための手段】
【０００５】  本考案はゴルフバッグ横方向の内寸に合わせて調整可能な幅調整板、収納用具の倒れを防ぐためのシャフト受け、アイアンクラブ長さにより調整できる高さ調整板、ヘッド及びホーゼルガイド受けを装備したアイアンクラブ収納用具をゴルフバッグに差込む。【０００６】  アイアンクラブの最大シャフト長さに合わせて高さ調整板及びゴルフバッグ内寸に合わせて幅調整板の各穴位置を選び、各部固定ネジで調整締結する。【０００７】  アイアンクラブをヘッド及びホーゼルガイド受けに並べ差し込むことで整列、固定され移動中も傷付きにくく  プレー後の移動の際は全体用のヘッドカバー等を使用することでゴルフバッグカバーを被せることができるゴルフバッグ用アイアンクラブ収納用具。
【考案の効果】
【０００８】  本考案のゴルフバッグ用アイアンクラブ収納用具はゴルフバッグ内側に差込みアイアンクラブを並べることで重心の位置がゴルフバッグ上部両縁に受ける位置よりかなり下方向となり、アイアンクラブのホーゼル部を保持固定、複数のアイアンクラブのシャフトがシャフト受けを押え下方向に荷重がかかることで、収納用具が安定し倒れることがない。さらにヘッド及びホーゼルガイド受けにより整列させアイアンクラブ同士の干渉による傷を防止している。またアイアンクラブを取り出す場合はアイアンクラブのシャフト外径が小さい位置で斜め上方向に引き抜くことができ、収納時はアイアンクラブのシャフトをホーゼルガイドの受け溝に入れ、ヘッドをＶ形溝部の近くで放してもゴルフバッグ内での他クラブとの抵抗が少なければ自重で収納できる。また整列されている為プレー中に番手を確認し易くアイアンの置き忘れも発見しやすい。さらに番手順にならば左右どちらからでも並べられ通常の直線的な整列と扇形の整列ができる効果がある。
【図面の簡単な説明】
【０００９】
【図１】ゴルフバッグ用アイアンクラブ収納用具正面及び背面の斜視図である。
【図２】一般的なゴルフバッグの斜視図である。
【図３】ゴルフバッグ用アイアンクラブ収納用具をゴルフバッグに差込みアイアンクラブを並べた斜視図である。
【考案を実施するための形態】
【００１０】  ゴルフバッグ幅方向の内寸に合わせ調整できる幅調整脚６及び使用する最長のアイアンクラブに合わせ調整できる高さ調整板４を持つゴルフバッグ用アイアンクラブ収納用具をゴルフバッグ１２に差し込む。以下図面を参照して説明する。図１はゴルフバッグ用アイアンクラブ収納用具の正面・背面の斜視図、図２は一般的なゴルフバッグの斜視図、図３はゴルフバッグ１２に収納用具を差し込み、アイアンクラブを並べた斜視図である。
【実施例１】
【００１１】  図１は請求項１の実施形態に係わるゴルフバッグ用アイアンクラブ収納用具１の斜視図である。上部にアイアンクラブのロフト最大角度以上で一辺が垂直の同一Ｖ形状複数溝を持ちアイアンクラブのホーゼルを保持しシャフト小径部を通過できる切り欠き溝を有するヘッド及びホーゼルガイド受け２を高さ調整板４に固定するための板ナット３  ゴルフバッグ用アイアンクラブ収納用具の倒れを防ぎバランスをとるためのシャフト受け７及びゴルフバッグに合わせて幅方向内寸を調整できる幅調整脚６とアイアンシャフトの最大長さに合わせて調整できる高さ調整板４を各部調整ネジ８及び９にて複数調節用孔を選択締結することによりゴルフバッグに挿入セットできる。図２は一般的なゴルフバッグ１２の参考図である。【００１２】  図３はゴルフバッグ１２にゴルフバッグ用アイアンクラブ収納用具を差込み、アイアンクラブを番手順に並べたアイアンクラブの斜視図である。
【産業上の利用可能性】
【００１３】  高価なアイアンクラブを使用する人は傷が付きにくいようにカバーを被せる等の処置をしている。しかし着脱が煩わしく乱雑に置かれている場合がほとんどである。本発明は収納用具のＶ形状溝部及びホーゼルガイド受け切り欠き溝に番手順にアイアンクラブを置き差し込むことで固定される。またヘッド及びホーゼルガイド受けによりトップラインの方向を位置決めでき美的な整列ができる。またアイアンクラブ全体用のヘッドカバーにて固定することもでき、より安定させた状態でゴルフバッグのカバーを被せることができる。
【符号の説明】
【００１４】１ゴルフバッグ用アイアンクラブ収納用具
２ヘッド及びホーゼルガイド受け
３板ナット
４高さ調整板
５本体フレーム
６幅調整脚
７シャフト受け
８高さ調整ネジ
９幅調整ネジ
１０アイアンクラブホーゼル部
１１アイアンクラブヘッド部トップライン
１２一般的なゴルフバッグ
【図１】
0003190763.tif 000003
【図２】
0003190763.tif 000004
【図３】
0003190763.tif 000005